(57)【要約】      （修正有）【課題】ダクト口径が大きな通風路に対して高い消音効果がある能動消音ユニットを備え、気流の乱れによる能動消音ユニットの消音効果の低下を抑制したレンジフードを提供する。【解決手段】外枠１０、仕切り部材１１、マイクロホン１４およびスピーカ１５からなるユニットを能動消音ユニット１３とし、フィルタ１９は水平面に対して傾斜した第１傾斜部３１を有し、第１部材１７は、上方を開口した箱形のオイルキャッチ部２１を形成し、仕切り部材１１の下方延長線上であって、且つフィルタ１９の第１傾斜部３１の下端の下方延長線上に設けたことを特徴とするレンジフード。【選択図】図１
2015183943.tif 000002
【特許請求の範囲】
【請求項１】
下面に吸込口と上面に開口部を有するフードと、
前記フードの下に前記吸込口に面して設置する取り外し可能な整流板と、
前記開口部および屋外に連通した吐出口を有する本体と、
前記本体の上部内部に設けて、前記吐出口と前記吸込口とを結ぶ風路内の空気を屋外に排気する換気用ファンおよびモータと、
前記本体の下部内部に設けて、前記換気用ファンの発生する音を消音する能動消音ユニットと、
前記開口部と前記整流板との間に設けて、前記吸込口から吸い込まれた空気を整流する第１部材および第２部材からなる整流部材と、
この整流部材と前記開口部との間に設けたフィルタとを備え、
前記能動消音ユニットは、
前記開口部から前記換気用ファンまでの前記風路の一部を複数の小風路に分割する外枠および前記外枠の内側に設けた仕切り部材と、
前記本体と前記外枠の間、もしくは前記仕切り部材が形成する空間に設けて、前記小風路に面して配置したマイクロホンおよびスピーカと、から構成し、前記フィルタは、水平面に対して傾斜した第１傾斜部を有し、前記小風路の吸込開口部の上流に設け、
前記第１部材は、上方を開口した箱形のオイルキャッチ部を形成し、前記仕切り部材の下方延長線上であって、且つ前記フィルタの前記第１傾斜部の下端の下方延長線上に設けたことを特徴とするレンジフード。
【請求項２】
前記第２部材は、前記オイルキャッチ部を設けた場所を避けるように、前記仕切り部材の下方延長線上に設けられることを特徴とする請求項１に記載のレンジフード。
【請求項３】
前記第２部材の上面は前記フィルタの前記第１傾斜部に沿って傾斜する第２傾斜部を有することを特徴とする請求項２に記載のレンジフード。
【請求項４】
前記第２部材は、上方に開口を有する箱形の共鳴空間部からなることを特徴とする請求項２に記載のレンジフード。
【請求項５】
前記第２部材の上面は前記フィルタの前記第１傾斜部に沿って傾斜する第２傾斜部を有しており、
前記第２部材の下面は前記第２傾斜部に平行でなく、
前記第２部材は、上方に開口を有する箱形の共鳴空間部からなることを特徴とする請求項２に記載のレンジフード。
【請求項６】
前記フィルタには複数の穴が設けられ、
前記共鳴空間部からなる前記第２部材の上面と前記フィルタが接触することを特徴とする請求項４または５に記載のレンジフード。
【請求項７】
前記フィルタには複数の穴が設けられ、
前記共鳴空間部の上方延長線上において、前記フィルタと前記仕切り部材との間に隙間を有することを特徴とする請求項４〜６の何れか１項に記載のレンジフード。
【請求項８】
前記マイクロホンを前記仕切り部材内の空間に設けた場合、前記マイクロホンが設けられた前記仕切り部材の下面を密閉することを特徴とする請求項１〜７の何れか１項に記載のレンジフード。
【請求項９】
前記オイルキャッチ部は前記フィルタと接触しないことを特徴とする請求項１〜８の何れか１項に記載のレンジフード。
【請求項１０】
前記第２部材は、上方に開口を有する箱形の２つの共鳴空間部からなり、
前記第１部材は、前記第２部材の底面の上であって、前記２つの前記共鳴空間部の間に設置されることを特徴とする請求項１〜９の何れか１項に記載のレンジフード。
【発明の詳細な説明】
【技術分野】
【０００１】
本発明は、レンジフードの風路に付設してレンジフード運転時に発生する騒音を消音するための能動消音ユニットを備えたレンジフードに関するものである。
【背景技術】
【０００２】
近年、台所に設置されるレンジフードは運転時に発生する騒音を低下することが求められている。このような課題を解決する手段の一つとして、レンジフード内に能動消音ユニットを搭載するという方法が挙げられる。
【０００３】
従来、ダクト用能動消音ユニットとしては、図８の断面図に示すように、ダクト１０１の内部に上流側から適宜間隔をそれぞれ設けて順次付設された内部原音のリファレンスマイク１０２，消音用スピーカ１０３，エラーマイク１０４と、それらとそれぞれ接続された演算制御器１０５とから構成されるものが知られている（例えば特許文献１参照）。
【０００４】
この種の装置において、ダクト１０１内を気流１０６とともに伝搬する発生音は、リファレンスマイク１０２で周波数等が検出され、演算制御器１０５で上記原音と逆位相の信号が作成され、それが消音用スピーカ１０３からダクト１０１内に放出され上記原音をキャンセル消音し、エラーマイク１０４が内部音をモニターし、演算制御器１０５でエラーマイク１０４の出力が零になるように消音用スピーカ１０３を自動的に調整している。
【０００５】
このような能動消音ユニットは、一次元音場において伝播する騒音を消音するものであり、送風路を伝播する騒音においては、平面波で且つある周波数帯域までの制御が可能である。
【０００６】
しかしながら、平面波の周波数はダクト口径によって変化するため、ダクト口径が大きい場合には平面波になる周波数が狭帯域化し、本来消音しなければならない周波数帯域の騒音は一次元音場と仮定できなくなり消音することができない。
【０００７】
このため、大口径の通風路用の能動消音ユニットとして、消音用通風路をセル状に分割して、口径の小さいダクト（小口径ダクト）の組み合わせとし、各小口径ダクトにおいて平面波で伝播する騒音の周波数範囲を広帯域化して制御するものが知られている（例えば特許文献２参照）。
【０００８】
以下、その能動消音ユニットについて図９を参照しながら説明する。
【０００９】
図９に示すように、大口径ダクトを小口径ダクト２０１、２０２、２０３、２０４のセル状に分割し、各口径ダクトの同じ位置に消音用スピーカ１０３が設置されている。また、小口径ダクト２０１に、消音用スピーカ１０３の設置位置より上流側にリファレンスマイク１０２、下流側にエラーマイク１０４を設置する。そして、リファレンスマイク１０２、エラーマイク１０４で検出される騒音信号は演算制御器１０５に入力され、演算制御器１０５はこれらの騒音信号に基づいて消音用スピーカ１０３に出力する駆動信号を生成し、各小口径ダクトに設置した消音用スピーカ１０３にこの駆動信号を出力し、同一の打ち消し音によって各小口径ダクトを伝播する騒音を消音する。
【００１０】
このように、大口径ダクトをセル上に分割して、小口径ダクトの組み合わせとすることで、平面波で伝播する周波数帯域が広くなり、消音効果を得ることができる。
【００１１】
なお、図９において、図８に示す構成要素と同じ又は同様の構成要素は同一の参照符号によって指示している。
【先行技術文献】
【特許文献】
【００１２】
【特許文献１】実開平５−１１１９８号公報
【特許文献２】特開平９−１６０５６７号公報
【発明の概要】
【発明が解決しようとする課題】
【００１３】
一般的にレンジフードは調理時に発生する油煙を十分に排気するため、口径が大きく、かつレンジフードの騒音の周波数特性は広域に分布する傾向があるので、広い周波数域において消音効果を得る必要がある。しかしながら上記特許文献２に記載の能動消音ユニットでは、大口径ダクトをセル状に分割することは有効ではあるが、吸込口における小口径ダクト２０１間での気流の分岐によって渦や乱れが生じ、消音効果が低下するという課題がある。
【００１４】
また、小口径ダクト２０１に設置しているエラーマイク１０４が他の小口径ダクト２０２、２０３、２０４に設置した消音用スピーカ１０３による打ち消し音を検出するクロストークが生じることで、ハウリング等により消音効果が低下するという課題がある。
【００１５】
そこで本発明は、消音効果の低下を抑制したレンジフードを提供することを目的とする。
【課題を解決するための手段】
【００１６】
そして、この目的を達成するために、本発明の一態様に係るレンジフードは、下面に吸込口と上面に開口部を有するフードと、前記フードの下に前記吸込口に面して設置する取り外し可能な整流板と、前記開口部および屋外に連通した吐出口を有する本体と、前記本体の上部内部に設けて、前記吐出口と前記吸込口とを結ぶ風路内の空気を屋外に排気する換気用ファンおよびモータと、前記本体の下部内部に設けて、前記換気用ファンの発生する音を消音する能動消音ユニットと、前記開口部と前記整流板との間に設けて、前記吸込口から吸い込まれた空気を整流する第１部材および第２部材からなる整流部材と、この整流部材と前記開口部との間に設けたフィルタとを備え、前記能動消音ユニットは、前記開口部から前記換気用ファンまでの前記風路の一部を複数の小風路に分割する外枠および前記外枠の内側に設けた仕切り部材と、前記本体と前記外枠の間、もしくは前記仕切り部材が形成する空間に設けて、前記小風路に面して配置したマイクロホンおよびスピーカと、から構成し、前記フィルタは、水平面に対して傾斜した第１傾斜部を有し、前記小風路の吸込開口部の上流に設け、前記第１部材は、上方を開口した箱形のオイルキャッチ部を形成し、前記仕切り部材の下方延長線上であって、且つ前記フィルタの前記第１傾斜部の下端の下方延長線上に設けたことを特徴としたものであり、これにより所期の目的を達成するものである。
【発明の効果】
【００１７】
本発明によれば、レンジフード内に小口径ダクトに分割された能動消音ユニットを設置しても、気流の乱れや渦が発生するのを抑制する構成とすることで消音効果の低下を抑え、かつクロストークによる消音効果の低下も抑制することができる。
【図面の簡単な説明】
【００１８】
【図１】本発明の実施の形態１のレンジフードの側断面を示す図
【図２】同レンジフードの能動消音ユニットの断面図
【図３】同レンジフードの整流部材の斜視図
【図４】同レンジフードの斜視図
【図５】同レンジフードの斜視図
【図６】同レンジフードの側断面を示す拡大図
【図７ａ】穴あき板の吸音構造を説明する図
【図７ｂ】本発明の実施の形態２のレンジフードの吸音構造を説明する模式図
【図８】従来の能動消音ユニットを示す断面図
【図９】従来の能動消音ユニットを示す概要斜視図
【発明を実施するための形態】
【００１９】
本発明の一態様に係るレンジフードは、下面に吸込口と上面に開口部を有するフードと、前記フードの下に前記吸込口に面して設置する取り外し可能な整流板と、前記開口部および屋外に連通した吐出口を有する本体と、前記本体の上部内部に設けて、前記吐出口と前記吸込口とを結ぶ風路内の空気を屋外に排気する換気用ファンおよびモータと、前記本体の下部内部に設けて、前記換気用ファンの発生する音を消音する能動消音ユニットと、前記開口部と前記整流板との間に設けて、前記吸込口から吸い込まれた空気を整流する第１部材および第２部材からなる整流部材と、この整流部材と前記開口部との間に設けたフィルタとを備え、前記能動消音ユニットは、前記開口部から前記換気用ファンまでの前記風路の一部を複数の小風路に分割する外枠および前記外枠の内側に設けた仕切り部材と、前記本体と前記外枠の間、もしくは前記仕切り部材が形成する空間に設けて、前記小風路に面して配置したマイクロホンおよびスピーカと、から構成し、前記フィルタは、水平面に対して傾斜した第１傾斜部を有し、前記小風路の吸込開口部の上流に設け、前記第１部材は、上方を開口した箱形のオイルキャッチ部を形成し、前記仕切り部材の下方延長線上であって、且つ前記フィルタの前記第１傾斜部の下端の下方延長線上に設けたという構成を有する。
【００２０】
この構成によれば、オイルキャッチ部が整流部材を兼ねることによって、吸込口から吸い込まれた空気をオイルキャッチ部および第２部材からなる整流部材により整流できるため、オイルキャッチ部による気流の乱れや渦の発生を抑制できる。このため、レンジフード内に小口径ダクトに分割された能動消音ユニットを設置しても、気流の乱れや渦が発生するのを抑制する構成とすることで消音効果の低下を抑え、かつクロストークによる消音効果の低下も抑制することができる。
【００２１】
また、前記第２部材は、前記オイルキャッチ部を設けた場所を避けるように、前記仕切り部材の下方延長線上に設けられるという構成にしてもよい。
【００２２】
この構成によれば、第２部材が、整流部材として良好に気流を整流することができる。このため、風路内で不整流によるノイズの発生を抑制し、能動消音ユニットをさらに効果的に動作させることができる。この結果、消音効果をさらに高めることができる。
【００２３】
また、前記第２部材の上面は前記フィルタの前記第１傾斜部に沿って傾斜する第２傾斜部を有するという構成にしてもよい。
【００２４】
この構成によれば、フィルタと第２部材の上面との間隔をほぼ一定にできるので、吸込口から吸い込まれた排気風が滑らかに小風路内へと流入される。このように、第２部材が整流部材として良好に気流を整流することができるため、風路内で不整流によるノイズの発生を抑制し、能動消音ユニットをさらに効果的に動作させることができる。この結果、消音効果をさらに高めることができる。
【００２５】
また、前記第２部材は、上方に開口を有する箱形の共鳴空間部からなるという構成にしてもよい。
【００２６】
この構成によれば、第２部材を共鳴空間部とすることで消音効果をさらに高めることができる。
【００２７】
また、前記第２部材の上面は前記フィルタの前記第１傾斜部に沿って傾斜する第２傾斜部を有しており、前記第２部材の下面は前記第２傾斜部に平行でなく、前記第２部材は、上方に開口を有する箱形の共鳴空間部からなるという構成にしてもよい。
【００２８】
この構成によれば、場所によってフィルタと共鳴空間部の下面との間の長さＬが異なる値を持つようになる。そして、この長さＬが異なる値を持てば、共鳴周波数ｆ0も異なる値を持つようになる。このため、共鳴空間部より消音できる周波数帯（共鳴周波数ｆ0の周波数帯域）を広げることができる。この結果、より広い周波数帯で消音効果を高めることができる。
【００２９】
また、前記フィルタには複数の穴が設けられ、前記共鳴空間部からなる前記第２部材の上面と前記フィルタが接触するという構成にしてもよい。
【００３０】
この構成によれば、実際の共鳴周波数を共鳴周波数ｆ0にさらに近づけることができるため、共鳴空間部による消音効果をさらに高めることができる。
【００３１】
また、前記フィルタには複数の穴が設けられ、前記共鳴空間部の上方延長線上において、前記フィルタと前記仕切り部材との間に隙間を有するという構成にしてもよい。
【００３２】
この構成によれば、フィルタと仕切り部材は接触せず、フィルタと仕切り部材との間に隙間を有することで、共鳴空間部で発生した空気の共鳴振動がフィルタの穴を通して、フードの吸込口と開口部との間の風路内に伝わる。この共鳴振動は、消音効果を有するため、レンジフードの消音効果を高めることができる。
【００３３】
また、前記マイクロホンを前記仕切り部材内の空間に設けた場合、前記マイクロホンが設けられた前記仕切り部材の下面を密閉するという構成にしてもよい。
【００３４】
この構成によれば、仕切り部材の下面を密閉すると、仕切り部材の下面から気流の一部が仕切り部材内の空間に進入することを防止できる。これにより、仕切り部材内でのノイズ発生を抑制し、仕切り部材内の空間に設けられたマイクロホンが正常に音を検出することを助けることになる。このため、能動消音ユニットの消音効果を高めることができる。
【００３５】
また、前記オイルキャッチ部は前記フィルタと接触しないという構成にしてもよい。
【００３６】
この構成によれば、フィルタの第１傾斜部の下端に重力によって集まる油をオイルキャッチ部で効果的に回収することができる。
【００３７】
また、前記第２部材は、上方に開口を有する箱形の２つの共鳴空間部からなり、前記第１部材は、前記第２部材の底面の上であって、前記２つの前記共鳴空間部の間に設置されるという構成にしてもよい。
【００３８】
この構成によれば、オイルキャッチ部２１の上面の開口面積を大きくすることができ、フィルタ１９の下端５１から滴る油５２をオイルキャッチ部２１によって効果的に回収することができる。
【００３９】
以下、本発明の実施例について、図１、図２、図３、図４、図５、図６を参照しながら説明する。
【００４０】
（実施の形態１）
図１のレンジフード側断面図に示すように、本実施の形態のレンジフードは、加熱調理器の上方に設置されるレンジフードであって、フード３と、整流板４と、本体６と、換気用ファン８およびモータ９と、能動消音ユニット１３と、フィルタ１９と、整流部材１６とを備えている。
【００４１】
能動消音ユニット１３は、外枠１０、仕切り部材１１、マイクロホン１４およびスピーカ１５からなるユニットである。
【００４２】
フード３は、下面に吸込口１と上面に開口部２を有している。吸込口１から調理時に発生する油煙を含んだ空気が吸い込まれる。
【００４３】
整流板４は、フード３の下または下端近傍に吸込口１に面して設置されており、フード３から取り外し可能である。
【００４４】
本体６は、開口部２および屋外に連通した吐出口５を有している。なお、本体６は直方体であることが好ましい。
【００４５】
換気用ファン８およびモータ９は、本体６の上部内部に設けられ、吐出口５と吸込口１とを結ぶ風路７内の空気を屋外に排気するものである。
【００４６】
外枠１０および外枠１０の内側に設けた仕切り部材１１は、本体６の下部内部に設けられており、開口部２から換気用ファン８までの風路７の一部を複数（例えば４つ）の小風路１２に分割するものである。なお、外枠１０は筒状であることが好ましい。
【００４７】
ここで、本体６の下部とは、本体６の上部よりも下の部分をいう。また、本体６の上部とは、本体６の下部よりも上の部分をいう。
【００４８】
マイクロホン１４およびスピーカ１５は、小風路１２ごとに搭載されていることが好ましく、本体６と外枠１０の間、もしくは仕切り部材１１内の空間に上下方向に設け、小風路１２に面して設置されている。
【００４９】
レンジフードに付設する能動消音ユニット１３は、風路７内を伝播する騒音を検出するマイクロホン１４と、マイクロホン１４によって検出された騒音とは逆位相の音を風路７内に放出して消音するスピーカ１５と、これらを接続してコントロールする演算制御器（図示せず）から構成されている。
【００５０】
フィルタ１９は、フード３の上面の開口部２近傍に設置され、吸い込んだ空気から油塵を除去する。フィルタ１９は、小風路１２の吸込開口部２０の上流に設けられ、水平面に対して傾斜した第１傾斜部３１を有している。第１傾斜部３１の下端は仕切り部材１１の下方延長線上の位置で最も低くなるように設けるとよい。フィルタ１９は金属からなり、複数のパンチ穴（直径１〜１０ｍｍもしくは２〜４ｍｍ）が設けられ、外枠１０などに固定される。
【００５１】
整流部材１６は、吸込口１から吸い込まれた空気を整流する第１部材１７および第２部材１８からなる。第１部材１７および第２部材１８は、開口部２と整流板４との間に設けられている。
【００５２】
第１部材１７は上方に開口を有する箱形のオイルキャッチ部２１となっている。第２部材１８は共鳴空間部２２からなることが好ましい。なお、共鳴空間部２２については実施の形態２で後述する。第２部材１８の上面はフィルタ１９の第１傾斜部３１に沿って傾斜する第２傾斜部３２を有することが好ましい。
【００５３】
図２は、レンジフードの能動消音ユニット１３の断面図であり、外枠１０および仕切り部材１１によって、開口部２から換気用ファン８までの風路７の一部が複数の小風路１２に分割されている。
【００５４】
図３は、レンジフードの整流部材１６の斜視図である。第１部材１７と第２部材１８は、図３のように互いに結合し、十字の形状となる。このため、本実施の形態では４分割された小風路１２に適合するものとなる。
【００５５】
図４、図５は、レンジフードの斜視図である。
【００５６】
図４、図５に示すように、整流板４、整流部材１６、フィルタ１９、フード３、本体６の順に配置されている。
【００５７】
第２部材１８の固定部４１をフード３または外枠１０に設けられる固定部４２に固定することにより、第２部材１８をフード３または外枠１０に固定する。
【００５８】
図６は、本実施形態のレンジフード側断面図の整流部材１６近傍の拡大図である。
【００５９】
図６に示すように、レンジフードは、仕切り部材１１の下方延長線上であって、且つフィルタ１９の第１傾斜部３１の下端５１の下方延長線上に、第１部材１７（オイルキャッチ部２１）からなる整流部材１６を設けている。
【００６０】
上記構成により、吸込口１から吸い込まれた排気風は風路７内を、フィルタ１９、小風路１２、換気用ファン８の順で通過した後、吐出口５からフード３の外へと排気される。
【００６１】
そして、能動消音ユニット１３を備えているために、送風に伴うファン騒音は低減されて居室につながる吸込口１から放射されることとなる。
【００６２】
ここで、図６を用いて、整流部材１６により消音効果の低下が抑制される作用・効果を説明する。
【００６３】
図６に示すように、吸込口１から吸い込まれた排気風は、整流板４とフード３下面の間を通過し、フィルタ１９を通過し、小風路１２へと流入するが、それぞれの隣り合う小風路１２は、整流部材１６により、小風路１２の吸込開口部２０近傍で物理的に遮断されている。
【００６４】
整流部材１６を設けない場合は、整流板４とフード３下面の間を水平方向に通過した排気風が垂直方向に流れの向きを変えて小風路１２へと流入する際に、小風路１２の吸込開口部２０近傍で気流の分岐による乱れや渦が発生してしまう。
【００６５】
しかし、本実施の形態のレンジフードによれば、整流部材１６を設けているので、そのような気流の乱れや渦の発生を抑制することができる。その結果、気流の乱れや渦の発生による新たな騒音発生を抑制することができる。
【００６６】
更に、それぞれの隣り合う小風路１２は、整流部材１６により、小風路１２の吸込開口部２０近傍で物理的に遮断されているため、小風路１２の吸込開口部２０から放出されるスピーカ１５からの打消し音が、整流板４によって反射されるなどして他の小風路１２内へ入りこむことを抑制できる。
【００６７】
その結果、この打消し音を他の小風路１２に設置されているマイクロホン１４が検出するクロストークが発生することを抑制することができる。
【００６８】
クロストークが生じると、ハウリングなどの要因となり、十分な消音効果を得ることができない。したがって、整流部材１６によりクロストークを抑制することは、消音効果の低下の抑制に有効である。
【００６９】
さらに、整流部材１６を構成する第１部材１７がオイルキャッチ部２１となっていることも本実施の形態のレンジフードの特徴である。
【００７０】
通常、レンジフードにオイルキャッチ部を設ける際には、滴る油を回収できるようにフィルタの下にオイルキャッチ部を設ける。しかしながら、レンジフードの内部は風路となっており、風路の中にオイルキャッチ部を設けると、オイルキャッチ部により風路内の気流を乱してしまうことが多い。気流が乱されれば、能動消音ユニットの消音効果は低減してしまう。
【００７１】
一方、本実施の形態のレンジフードでは、仕切り部材１１の下方延長線上であって、且つフィルタ１９の第１傾斜部３１の下端５１の下方延長線上に、第１部材１７（オイルキャッチ部２１）からなる整流部材１６を設けている。
【００７２】
この構成により、吸込口から吸い込まれた空気をオイルキャッチ部２１および第２部材１８からなる整流部材１６により整流できる。このため、オイルキャッチ部２１による気流の乱れや渦の発生を抑制できるため、風路７内の気流の乱れや渦の発生を抑制しつつ、オイルキャッチ部２１により、フィルタ１９の下端から滴る油５２を効果的に回収することができる。
【００７３】
また、第２部材１８は、オイルキャッチ部２１が設けられた場所を避けるように、仕切り部材１１の下方延長線上に設けられることが好ましい。
【００７４】
この構成により、吸込口１から吸い込まれた排気風が滑らかに小風路１２内へと流入される。この結果、気流の乱れや渦の発生がさらに抑制され、能動消音ユニット１３の消音効果をさらに高めることができる。
【００７５】
また、第２部材１８の上面はフィルタ１９の第１傾斜部３１に沿って傾斜する第２傾斜部３２を有することが好ましい。
【００７６】
この構成により、フィルタ１９と第２部材１８の上面との間隔をほぼ一定にできるので、吸込口１から吸い込まれた排気風が滑らかに小風路１２内へと流入される。この結果、気流の乱れや渦の発生がさらに抑制され、能動消音ユニット１３の消音効果をさらに高めることができる。
【００７７】
（実施の形態２）
次に、本実施の形態２のレンジフードについて説明する。実施の形態１では、第２部材１８が共鳴空間部２２を有するとは限らないが、実施の形態２では、第２部材１８が共鳴空間部２２からなる場合において、整流部材１６により消音効果の低下が抑制される作用・効果を説明する。
【００７８】
本実施の形態２のレンジフードの構成は、図１〜図６で説明した実施の形態１と同様であるため、実施の形態１で説明した内容については、その詳細な説明を省略する。
【００７９】
まず、図７ａを用いて、穴あき板の吸音構造を説明する（出典：「現場実務者と設計者のための実用騒音・振動制御ハンドブック」Ｐ．３０５〜３０６（発行元：（株）エヌ・ティー・エス））。
【００８０】
図７ａは、壁７４の近傍に設置した穴あき板７１の断面図である。穴あき板７１には穴７２が開いている。穴あき板７１と壁７４との間には空気層７３がある。
【００８１】
このような穴あき板７１は、背後の空気層７３と一体となって穴あき板吸音構造を構成し、共鳴型吸音構造としての吸音特性を示す。
【００８２】
背後の空気層７３が通常の厚さ（２０ｃｍ程度まで）であるとすると、このときの共鳴周波数ｆ0（Ｈｚ）は以下のようになる。
【００８３】
ｆ0＝ｃ／（２π）×√（ｐ／（ｔ＋０．８ｄ）Ｌ）
ここで、ｃ：空気中の音速（ｃｍ／ｓ）、ｔ：穴あき板７１の板厚（ｃｍ）、ｄ：穴７２の直径（ｃｍ）、Ｌ：穴あき板７１と壁７４との間の長さ、すなわち空気層７３の厚さ（ｃｍ）、ｐ：開孔率（ｐ＝πｄ2／４Ｄ2、ここでＤ：穴７２のピッチｃｍ）である。
【００８４】
この系の共鳴周波数ｆ0の音に対しては、穴７２の部分の空気が激しく振動し、穴７２の付近の管壁などとの摩擦損失によって音のエネルギーが吸収される。
【００８５】
図７ｂは、実施の形態２のレンジフードの吸音構造を説明する模式図である。
【００８６】
図７ａの穴あき板７１、穴７２、空気層７３、壁７４は、それぞれ、図７ｂのフィルタ１９、フィルタ１９のパンチ穴、共鳴空間部２２の内部の空気層、共鳴空間部２２の下面または底面に対応する。
【００８７】
図７ｂに示す本実施の形態の構成でも上記共鳴周波数ｆ0を得ることができる。なお、共鳴周波数ｆ0の式において、ｔ：フィルタ１９の板厚（ｃｍ）、ｄ：フィルタ１９のパンチ穴の直径（ｃｍ）、Ｌ：フィルタ１９と共鳴空間部２２の下面との間の長さ、すなわち共鳴空間部２２の内部の空気層の厚さ（ｃｍ）、ｐ：開孔率（ｐ＝πｄ2／４Ｄ2）、Ｄ：フィルタ１９のパンチ穴のピッチ（ｃｍ）である。
【００８８】
このように、本実施の形態２のレンジフードは、整流部材１６を構成する第２部材１８が、上方に開口を有する箱形の共鳴空間部２２からなるものであるため、共鳴周波数ｆ0の音に対して、フィルタ１９のパンチ穴の部分の空気が激しく振動し、フィルタ１９のパンチ穴の付近の管壁などとの摩擦損失によって音のエネルギーが吸収される。この結果、消音効果をさらに高めることができる。なお、フィルタ１９と共鳴空間部２２の下面との間の長さＬは、図７ｂとは異なり、場所によらず一定の長さとなっていても消音効果を得ることができる。ただし、穴あき板であるフィルタ１９と共鳴空間部２２と下面との間の長さＬは、共鳴周波数を決定する上で重要な値である。
【００８９】
また、共鳴空間部２２の上面はフィルタ１９の第１傾斜部３１に沿って傾斜する第２傾斜部３２を有しており、共鳴空間部２２の下面は第２傾斜部３２に平行でないことが好ましい。例えば、第２部材１８の下面は水平面に略平行であってもよい。
【００９０】
この構成により、フィルタ１９と共鳴空間部２２と下面との間の長さＬが一定にならず、長さＬが所定の範囲（所定の幅を持った値）を持つことになる。言い換えれば、場所によって長さＬが異なる値を持つようになる。長さＬが異なる値を持てば、上記共鳴周波数ｆ0も異なる値を持つようになる。このため、上記共鳴周波数ｆ0の周波数帯域を広げることができる。この結果、より広い周波数帯域で消音効果を得ることができる。
【００９１】
また、フィルタ１９には複数のパンチ穴などの穴が設けられ、共鳴空間部２２からなる第２部材１８の上面とフィルタ１９が接触することが好ましい。
【００９２】
この構成により、実際の共鳴周波数を上記共鳴周波数ｆ0にさらに近づけることができるため、共鳴空間部２２による消音効果をさらに高めることができる。
【００９３】
また、共鳴空間部２２の上方延長線上において、フィルタ１９と仕切り部材１１との間に隙間を有することが好ましい。
【００９４】
このように、フィルタ１９と仕切り部材１１は接触せず、フィルタ１９と仕切り部材１１との間に隙間を有することで、共鳴空間部２２で発生した空気の共鳴振動がフィルタ１９の穴を通して、フード３の吸込口１と開口部２との間の風路７内に効果的に伝わる。この共鳴振動は、消音効果を有するため、レンジフードの消音効果をさらに高めることができる。
【００９５】
以上のように、本実施の形態２によれば、第２部材１８が共鳴空間部２２からなるようにしたため、消音効果をさらに高めたレンジフードを得ることができる。
【００９６】
以下、実施の形態１にも２にも関係する内容を述べる。
【００９７】
図１に示したように、マイクロホン１４を仕切り部材１１内の空間に設けた場合、マイクロホン１４が設けられた仕切り部材１１の下面を密閉することが好ましい。
【００９８】
このように、仕切り部材１１の下面を密閉すると、仕切り部材１１の下面から気流の一部が仕切り部材１１内の空間に進入することを防止できる。これにより、その仕切り部材１１内でのノイズ発生が抑制されるため、仕切り部材１１内の空間に設けられたマイクロホン１４が正常に音を検出しやすくなる。このため、能動消音ユニット１３の消音効果をさらに高めることができる。
【００９９】
また、オイルキャッチ部２１はフィルタ１９と接触しないことが好ましい。
【０１００】
この構成により、フィルタ１９の広い範囲から第１傾斜部３１の下端５１に重力によって集まる油をオイルキャッチ部２１で効果的に回収することができる。
【０１０１】
また、図３などのように、第１部材１７は、第２部材１８の底面の上であって、２つの共鳴空間部２２の間に設置されることが好ましい。
【０１０２】
この構成により、オイルキャッチ部２１の上面の開口面積を大きくすることができ、フィルタ１９の下端５１から滴る油５２をオイルキャッチ部２１によって効果的に回収することができる。
【０１０３】
また、本実施の形態では仕切り部材１１はスピーカ１５やマイクロホン１４を取り付けるために内部が空間となっているが、スピーカやマイクロホンを外枠に設置する場合は、仕切り部材を板形状としても良い。
【０１０４】
また、第２部材１８は共鳴空間部２２からなるものとしたが、第２部材１８は共鳴空間部２２からなるものに限らない。第２部材１８が共鳴空間部２２を有していなくても、オイルキャッチ部２１である第１部材１７が整流部材１６となることで、能動消音ユニット１３の消音効果の低下を抑制できる。
【０１０５】
また、第２部材１８の上面は、第２傾斜部３２を有することが好ましいが、必ずしも第２傾斜部３２を有していなくてもよい。
【０１０６】
また、第１傾斜部３１、第２傾斜部３２という表現を用いたが、第１傾斜部３１、第２傾斜部３２は傾斜面を含むものである。或いは、第１傾斜部３１、第２傾斜部３２に代えて、傾斜面としても良い。
【０１０７】
また、第２部材１８は、上面が開口することによって共鳴空間部２２を有することが好ましいが、上面を開口させなくても良い。
【０１０８】
また、整流部材１６は十字の形状としたが、十字の形状となるとは限らない。小風路１２の分割個数や分割形状を変更することに伴い、整流部材１６の形状も変化する。
【０１０９】
また、整流部材１６の第１部材１７と第２部材１８は分離しているが、一体化していても良い。
【産業上の利用可能性】
【０１１０】
本発明に係るレンジフード用能動消音ユニットは、十分な消音効果を得るとともに、消音効果の低下の要因となる気流の乱れやクロストークが生じることを抑制し、大口径で吸込口に面してパネル部材を有する換気装置に搭載する消音装置として有用である。
【符号の説明】
【０１１１】
１    吸込口
２    開口部
３    フード
４    整流板
５    吐出口
６    本体
７    風路
８    換気用ファン
９    モータ
１０  外枠
１１  仕切り部材
１２  小風路
１３  能動消音ユニット
１４  マイクロホン
１５  スピーカ
１６  整流部材
１７  第１部材
１８  第２部材
１９  フィルタ
２０  吸込開口部
２１  オイルキャッチ部
２２  共鳴空間部
３１  第１傾斜部
３２  第２傾斜部
４１  固定部
４２  固定部
５１  下端
５２  油
７１  穴あき板
７２  穴
７３  空気層
７４  壁
【図１】
2015183943.tif 000003
【図２】
2015183943.tif 000004
【図３】
2015183943.tif 000005
【図４】
2015183943.tif 000006
【図５】
2015183943.tif 000007
【図６】
2015183943.tif 000008
【図７ａ】
2015183943.tif 000009
【図７ｂ】
2015183943.tif 000010
【図８】
2015183943.tif 000011
【図９】
2015183943.tif 000012